(57)【要約】【課題】土台や大引き等の横架材上に柱や小屋束等の縦材を接合する際に、横架材の側面からピンを差し込むことなく固定可能な接合金具およびこれを用いた接合構造ならびに接合方法の提供。【解決手段】横架材１０上に縦材２０を接合する接合金具１であり、板状の部材が山折りにして合わせられて垂直に配置された接合部２であり、固定ピン８が挿入される貫通孔４を有し、縦材２０の下端に形成された差込溝２１に差し込まれ、縦材２０に形成されたピン穴２２を通じて貫通孔４に固定ピン８が挿入されることにより縦材２０に固定される接合部２と、板状の部材が接合部２の両下端部でそれぞれ外側に折られて水平に配置された脚部３であり、ビス６が挿入されるビス孔を有し、ビス孔を通じてビス６により横架材１０上に固定される脚部３とを有する。【選択図】図２
2015194055.tif 000002
【特許請求の範囲】
【請求項１】
横架材上に縦材を接合する接合金具であって、
板状の部材が山折りにして合わせられて垂直に配置された接合部であり、固定ピンが挿入される貫通孔を有し、前記縦材の下端に形成された差込溝に差し込まれ、前記縦材に形成されたピン穴を通じて前記貫通孔に前記固定ピンが挿入されることにより前記縦材に固定される接合部と、
前記板状の部材が前記接合部の両下端部でそれぞれ外側に折られて水平に配置された脚部であり、ビスが挿入されるビス孔を有し、前記ビス孔を通じて前記ビスにより前記横架材上に固定される脚部と
を有する接合金具。
【請求項２】
前記脚部は、前記横架材上に形成された凹部内に固定されるものである請求項１記載の接合金具。
【請求項３】
横架材上に縦材を接合金具により接合する接合構造であって、
板状の部材が山折りにして合わせられて垂直に配置された接合部であり、固定ピンが挿入される貫通孔を有する接合部と、前記板状の部材が前記接合部の両下端部でそれぞれ外側に折られて水平に配置された脚部であり、ビスが挿入されるビス孔を有する脚部とを有する接合金具を有し、
前記縦材が、下端に形成された前記接合金具の接合部が差し込まれる差込溝と、前記接合部の前記貫通孔に前記固定ピンを挿入するためのピン穴とを有し、
前記接合金具が前記脚部の前記ビス孔を通じて前記ビスにより固定された横架材上に、前記縦材が前記差込溝に前記接合金具の前記接合部を差し込んで配置され、前記ピン穴を通じて前記接合部の前記貫通孔に前記固定ピンが挿入された
ことを特徴とする接合構造。
【請求項４】
板状の部材が山折りにして合わせられて垂直に配置された接合部であり、固定ピンが挿入される貫通孔を有する接合部と、前記板状の部材が前記接合部の両下端部でそれぞれ外側に折られて水平に配置された脚部であり、ビスが挿入されるビス孔を有する脚部とを有する接合金具が、前記脚部の前記ビス孔を通じて前記ビスにより固定された横架材上に、下端に前記接合金具の前記接合部が差し込まれる差込溝が形成され、前記接合部の前記貫通孔に前記固定ピンを挿入するためのピン穴が形成された縦材を、前記差込溝に前記接合金具の前記接合部を差し込んで配置すること、
前記ピン穴を通じて前記接合部の前記貫通孔に前記固定ピンを挿入すること
を含む接合方法。
【発明の詳細な説明】
【技術分野】
【０００１】
本発明は、木造建築物の土台や大引き等の横架材上に柱や小屋束等の縦材を接合する接合金具およびこれを用いた接合構造ならびに接合方法に関する。
【背景技術】
【０００２】
従来、木造建築物の木材同士の接合は様々な継手および仕口が用いられてきたが、近年では接合金具を用いることも多く、様々な接合金具が開発されている。例えば、特許文献１には、棒状の取付部の一端部に板状の接合部が一体形成され、土台上に柱を立設する際に使用される接合具が記載されている。
【０００３】
この接合具では、土台の上面に形成された穴に棒状の取付部が差し込まれ、土台に形成されたピン穴を通じて取付部の貫通穴にピンが差し込まれることにより、土台に接合具が強固に固定され、この土台の上面から、その上面に対し垂直に、板状の接合部が突出されて配置されることになる。一方、この土台上に立設される柱には、長手方向の端部に板状の接合部が差し込まれる差込溝が形成されており、この柱はその差込溝に接合部を差し込んで取り付けられ、柱に形成されたピン穴を通じて接合部の貫通穴にピンが差し込まれることにより、接合部に柱が強固に固定される。
【先行技術文献】
【特許文献】
【０００４】
【特許文献１】特開２００３−３３６３２１号公報
【発明の概要】
【発明が解決しようとする課題】
【０００５】
上記従来の接合具では、土台に接合具を強固に固定するために土台の側面からピンを差し込む構造となっているが、このような構造では、このピンを差し込む位置には他の部材を接合することができなくなるという問題がある。
【０００６】
そこで、本発明においては、土台や大引き等の横架材上に柱や小屋束等の縦材を接合する際に、横架材の側面からピンを差し込むことなく固定可能な接合金具およびこれを用いた接合構造ならびに接合方法を提供することを目的とする。
【課題を解決するための手段】
【０００７】
本発明の接合金具は、横架材上に縦材を接合する接合金具であって、板状の部材が山折りにして合わせられて垂直に配置された接合部であり、固定ピンが挿入される貫通孔を有し、縦材の下端に形成された差込溝に差し込まれ、縦材に形成されたピン穴を通じて貫通孔に固定ピンが挿入されることにより縦材に固定される接合部と、板状の部材が接合部の両下端部でそれぞれ外側に折られて水平に配置された脚部であり、ビスが挿入されるビス孔を有し、ビス孔を通じてビスにより横架材上に固定される脚部とを有するものである。
【０００８】
本発明の接合金具によれば、接合金具が脚部のビス孔を通じてビスにより固定された横架材上に、縦材が差込溝に接合金具の接合部を差し込んで配置され、ピン穴を通じて接合部の貫通孔に固定ピンが挿入された接合構造が得られる。これにより、横架材上に縦材を接合する際に、横架材の側面からピンを差し込むことなく固定することが可能となる。
【０００９】
ここで、脚部は、横架材上に形成された凹部内に固定されるものであることが望ましい。これにより、横架材の上面には、接合金具の接合部のみが突出するので、横架材の上面に縦材の下面が密着し、接合金具は外部から見えなくなる。
【発明の効果】
【００１０】
（１）本発明によれば、横架材上に縦材を接合する際に、横架材の側面からピンを差し込むことなく固定することが可能となり、横架材の側面に他の部材を制約なく接続することが可能となる。
【００１１】
（２）脚部が横架材上に形成された凹部内に固定されるものであることにより、接合金具が外部から見えなくなるため、見栄えが良い接合構造となる。
【図面の簡単な説明】
【００１２】
【図１】本発明の実施の形態における接合金具の斜視図である。
【図２】図１の接合金具の使用状態を示す斜視図である。
【図３】図１の接合金具の使用状態を示す正面図である。
【図４】ビスの拡大図であって、（ａ）は平面図、（ｂ）は右側面図である。
【図５】固定ピンの拡大図であって、（ａ）は平面図、（ｂ）は右側面図である。
【発明を実施するための形態】
【００１３】
図１は本発明の実施の形態における接合金具の斜視図、図２は図１の接合金具の使用状態を示す斜視図、図３は図１の接合金具の使用状態を示す正面図である。
【００１４】
図１〜図３に示すように、本発明の実施の形態における接合金具１は、横架材１０上に縦材２０を接合するために用いられるものであって、板状の部材としての角丸長方形状の板材が山折りにして合わせられて垂直に配置された接合部２と、角丸長方形状の板材の接合部２の両下端部でそれぞれ外側に折られて水平に配置された脚部３とから構成される。接合部２には、後述する固定ピン８が挿入される円形状の貫通孔４が形成されている。また、脚部３には、それぞれ後述するビス６が挿入される円形状のビス孔５が形成されている。
【００１５】
接合金具１は、横架材１０上にビス６により固定される。図４はビス６の拡大図であって、（ａ）は平面図、（ｂ）は右側面図である。図４に示すように、ビス６は、頭部６ａ側にねじが切られていない円柱部６ｂと、木材にねじ込むのに適した尖った先端形状をもつねじ部６ｃとを有する。頭部６ａは、皿形状となっている。また、頭部６ａには、締め付けのための六角穴６ｄが設けられている。
【００１６】
また、横架材１０上には、接合金具１の脚部３の形状に合わせて角丸長方形状の凹部１１が形成される。接合金具１は、この凹部１１内に固定される。凹部１１は、接合金具１の脚部３をビス６により固定した際に、図３に示すように、ビス６の頭部６ａが横架材１０の上面から突出しない深さに形成される。なお、本実施形態においては、ビス６と接合金具１との間にワッシャー７が用いられている。
【００１７】
一方、縦材２０の下端には、接合金具１の接合部２が差し込まれる差込溝２１が形成される。差込溝２１は、縦材２０の下面に対して直角に設けられている。また、縦材２０の下部側面には、差込溝２１に差し込まれた接合金具１の接合部２の貫通孔４の位置に対応する位置に、固定ピン８を挿入するための水平方向のピン穴２２が形成されている。図５は固定ピン８の拡大図であって、（ａ）は平面図、（ｂ）は右側面図である。図５に示すように、固定ピン８は、円柱部８ａと、面取りが形成された先端部８ｂとを有する。
【００１８】
上記構成の接合金具１は、図２に示すように、予め横架材１０上にビス６により固定される。縦材２０は、この接合金具１が固定された横架材１０上に、接合金具１の接合部２が差込溝２１に差し込まれるように配置される。そして、縦材２０のピン穴２２を通じて固定ピン８が先端部８ｂ側から接合部２の貫通孔４に挿入される。これにより、横架材１０と縦材２０とが強固に固定される。
【００１９】
このように、本実施形態における接合金具１によれば、横架材１０上に縦材２０を接合する際に、横架材１０の側面からピンを差し込むことなく固定することが可能であり、横架材１０の側面に他の部材を制約なく接続することが可能である。また、本実施形態においては、接合金具１の脚部３が横架材１０に設けられた凹部１１内に固定されるため、接合金具１は外部から見えなくなり、見栄えが良い。
【産業上の利用可能性】
【００２０】
本発明の接合金具は、木造建築物の土台や大引き等の横架材上に柱や小屋束等の縦材を接合する接合金具として有用である。
【符号の説明】
【００２１】
１  接合金具
２  接合部
３  脚部
４  貫通孔
５  ビス孔
６  ビス
７  ワッシャー
８  固定ピン
１０  横架材
１１  凹部
２０  縦材
２１  差込溝
２２  ピン穴
【図１】
2015194055.tif 000003
【図２】
2015194055.tif 000004
【図３】
2015194055.tif 000005
【図４】
2015194055.tif 000006
【図５】
2015194055.tif 000007